(57)【特許請求の範囲】
【請求項１】
扉錠に対向する扉枠の対面部に設けられた凹部と、
扉端面に対向して開口する錠杆進入空間を有し扉枠上下方向に間隙を有して前記凹部に嵌入されるトロヨケと、
該トロヨケの前記錠杆進入空間を開口させる錠杆進入穴を有し前記対面部と平行となって前記トロヨケに一体に固着された板状のストライクと、
一端が前記トロヨケの前記対面部と平行な底板外面に固定され且つ他端が前記扉枠に固定され前記ストライクと前記対面部との間及び前記底板外面と前記凹部の底面との間に間隙が形成されるように前記トロヨケを前記凹部内に保持する上下一対の可撓ステーと、
を具備し、
前記可撓ステーの他端が、前記扉枠の対面部に固定され、且つ該可撓ステーの他端に、前記ストライクと前記対面部との隙間を覆う目隠し板が前記対面部に垂直に起立されていることを特徴とする扉錠用受金具。
【請求項２】
前記可撓ステーの一端と他端との間に、可撓を容易にする湾曲部が形成されたことを特徴とする請求項１記載の扉錠用受金具。
【請求項３】
前記可撓ステーの一端が、上下方向に長い長穴を介して前記トロヨケの底板外面にビス固定されることを特徴とする請求項１又は２記載の扉錠用受金具。
【発明の詳細な説明】
【０００１】
【発明の属する技術分野】
本発明は、扉枠に設けられて、扉錠から突出される錠杆と係合する扉錠用受金具に関し、さらに詳しくは、地震やその他の外力により扉枠に変形が生じた場合であってもストライクからの錠杆の後退が容易に行える扉錠用受金具の改良に関するものである。
【０００２】
【従来の技術】
高層住宅などの玄関扉は、一般的に非構造壁に設けられることが多く、地震等の外力によってその壁自体に大きな変形が生じたり、亀裂が生じたりすると、扉枠をいかに強固にしても、その変形を防止することが困難である。
そして、扉枠に、ある程度以上の変形が生じると、図５，図６に示す扉枠１に固定されたトロヨケ３，ストライク５と、扉７に設けられた扉錠の錠杆（デッドボルト１１ａ，ラッチボルト１１ｂ）とが圧接し、解錠が不能となり、災害時の非難ができなくなる虞れがあった。
【０００３】
このような問題を解消したものに例えば実公昭６０−２０７６号公報に開示されるドアの錠前装置がある。この錠前装置は、地震等により扉枠に変形が生じ、扉枠と扉とが圧接する方向に外力を受けた場合には、トロヨケとストライクとのカシメ部分が破壊され、この破壊時に外力が緩和されるとともに、破壊によって分離されたストライクの介在によって扉と扉枠との圧接が防止されて、解錠操作が容易且つ確実にできるようになっている。
【０００４】
【発明が解決しようとする課題】
ところが、上記従来の錠前装置は、上下方向の外力に対する工夫がなされていなかった。そのため、上下方向に大きな外力が作用すると、扉錠の錠杆が、ストライクの受穴１３の上部１３ａ又は下部１３ｂに圧接され、錠杆が作動不良となって扉を開放することができなくなる問題があった。
【０００５】
これに対し、例えば特開平８−３１２２０７号公報に開示される扉錠用受金具は、トロヨケの内部空間に、錠杆の係入される受部材を、上下方向に移動可能に嵌挿し、扉や扉枠に対して外力が上下方向に作用した場合、受部材が上下方向に移動しその外力を吸収することにより、受部材と錠杆との圧接を防止して、受部材から錠杆が後退されるようになっていた。
【０００６】
しかしながら、この扉錠用受金具は、受部材を上下方向に移動可能にする開口孔がストライクに形成されているため、受部材を上下動させるための隙間が、この受部材と開口孔との間で露出し、見栄えを低下させる問題があった。特に、玄関扉に扉錠用受金具が設けられた場合には、このような見栄えの低下は、商品価値の低下を招いた。
【０００７】
本発明は上記状況に鑑みてなされたもので、地震等により扉枠の上下方向に、また、奥行き方向に外力が作用した場合であっても、錠杆の後退が容易に且つ確実に行え、扉の開放に支障を来さず、さらに見栄えの低下することのない扉錠用受金具の提供を目的とする。
【０００８】
【課題を解決するための手段】
次に、上記の課題を解決するための手段を、実施の形態に対応する図面を参照して説明する。
この発明の請求項１記載の扉錠用受金具６３は、扉錠２３に対向する扉枠２５の対面部２７に設けられた凹部２９と、
扉端面２１ａに対向して開口する錠杆進入空間３７を有し扉枠上下方向に間隙３９を有して前記凹部２９に嵌入されるトロヨケ３５と、
該トロヨケ３５の前記錠杆進入空間３７を開口させる錠杆進入穴４９を有し前記対面部２７と平行となって前記トロヨケ３５に一体に固着された板状のストライク４７と、
一端が前記トロヨケ３５の前記対面部２７と平行な底板外面４１に固定され且つ他端が前記扉枠２５に固定され前記ストライク４７と前記対面部２７との間及び前記底板外面４１と前記凹部２９の底面２９ａとの間に隙間５７及び間隙４３が形成されるように前記トロヨケ３５を前記凹部２９内に保持する上下一対の可撓ステー５１，５１とを具備し、
前記可撓ステー５１の他端が、前記扉枠２５の対面部２７に固定され、且つ該可撓ステー５１の他端に、前記ストライク４７と前記対面部２７との隙間５７を覆う目隠し板６１が前記対面部２７に垂直に起立されていることを特徴としている。
【０００９】
この扉錠用受金具６３では、地震等の外力によって扉枠２５が変形し、錠杆とストライク４７との相対位置が変位すると、可撓ステー５１，５１が変形して、ストライク４７と一体となったトロヨケ３５が、凹部２９内において扉枠２５の上下方向、凹部２９の深さ方向、或いはその両方の方向に同時に移動される。
従って、錠杆とストライク４７との間に生じる相対的な変位によって、錠杆や扉２１が、扉錠用受金具６３に圧接することがない。これにより、錠杆の後退作動が常に確保され、扉２１が確実に開放可能になる。
また、トロヨケ３５を上下方向へ可動させるための開口がストライク４７によって覆われ、従来構造のように切欠となって露出せず、扉錠用受金具６３を扉開口から見たときの見栄えの低下がない。
また、この扉錠用受金具６３では、ストライク４７と対面部２７との隙間５７が、可撓ステー５１の他端に起立した目隠し板６１によって覆われ、別途の部材や構造によらず、見栄えが向上する。
なお、可撓ステー５１としては、金属が好適となるが、この目隠し板６１としては、例えばゴム等の弾性変形容易な材料を用いることとしてもよい。これにより、ストライク４７が扉枠２５側へ変位した際にも目隠し板６１が容易に変形して、ストライク４７の扉枠２５側への移動を妨げることがない。
【００１０】
請求項２記載の扉錠用受金具６３は、前記可撓ステー５１，５１の一端と他端との間に、可撓を容易にする湾曲部５９が形成されたことを特徴としている。
【００１１】
この扉錠用受金具６３では、可撓ステー５１，５１に湾曲部５９が形成され、トロヨケ３５を変位させる方向の外力が作用した際、この変位が湾曲部５９によって容易に吸収される。すなわち、湾曲部５９が設けられることで、弾性範囲内で可撓ステー５１，５１を変形させることが可能になる。
【００１２】
請求項３記載の扉錠用受金具６３は、前記可撓ステー５１の一端が、上下方向に長い長穴５３を介して前記トロヨケ３５の底板外面４１にビス固定されることを特徴としている。
【００１３】
この扉錠用受金具６３では、ビス５５が、長穴５３の長手方向、すなわち、上下方向に可動可能になり、可撓ステー５１とトロヨケ３５との間の上下方向の変位が、このビス固定部によっても吸収可能になる。そして、ビス５５の締着力を調整することで、このビス固定部によって吸収する外力の大きさも可変設定可能になる。
【００１６】
【発明の実施の形態】
以下、本発明に係る扉錠用受金具の好適な実施の形態を図面を参照して詳細に説明する。
図１は本発明に係る扉錠用受金具の分解斜視図、図２は図１に示した扉錠用受金具の縦断面図、図３は図２のＡ−Ａ矢視図である。
【００１７】
扉２１に設けられた扉錠２３に対向する扉枠２５の対面部２７には凹部２９が設けられ、凹部２９は扉枠２５の上下方向に長い矩形状に形成されている。扉２１に設けられた扉錠２３からは、錠杆であるデッドボルト３１と、同じく錠杆であるラッチボルト３３が上下に配置されて、凹部２９に向かって突出されるようになっている。
【００１８】
凹部２９にはトロヨケ３５が嵌入される。トロヨケ３５は、扉端面２１ａに対向して開口する錠杆進入空間３７を有した矩形箱状に形成される。
【００１９】
トロヨケ３５の水平方向の幅ｗは、凹部２９の同方向の幅と略同一に形成され、トロヨケ３５は、水平方向にはガタツキなく凹部２９に嵌入するようになっている。
一方、トロヨケ３５の上下方向の高さｈは、凹部２９の同方向の高さより小さく形成され、トロヨケ３５は、凹部２９の上下方向に移動可能となっている。
つまり、トロヨケ３５は、扉枠上下方向に間隙３９を有して凹部２９に嵌入されるようになっている。また、トロヨケ３５の奥行きＤは、凹部２９の同方向の深さより小さく形成されている。従って、トロヨケ３５の底板外面４１と、凹部２９の底面２９ａとの間には間隙４３が形成される。
【００２０】
トロヨケ３５の上下端には対面部２７と平行に延出した固定鍔４５がそれぞれ設けられている。この固定鍔４５には板状のストライク４７が固着されている。つまり、トロヨケ３５とストライク４７とは、一体構造となっている。
【００２１】
ストライク４７には、トロヨケ３５の錠杆進入空間３７を開口させる錠杆進入穴４９が形成されている。ストライク４７は、トロヨケ３５が凹部２９に嵌入した状態で、対面部２７と平行に配置され、錠杆進入穴４９にはデッドボルト３１及びラッチボルト３３が進入するようになっている。
【００２２】
なお、ストライク４７は、トロヨケ３５が、凹部２９の上下いずれかに移動された状態においても、凹部２９が露出しないように、凹部２９の上下方向の長さより十分に長く形成されている。
【００２３】
一体に構成されるストライク４７及びトロヨケ３５は、トロヨケ３５の底板外面４１が、上下一対の可撓ステー５１，５１に固定されることで、凹部２９に保持されている。
すなわち、可撓ステー５１，５１は、一端が、トロヨケ３５の上下にそれぞれ固定され、他端が扉枠２５の対面部２７に固定されている。
【００２４】
各可撓ステー５１，５１の一端は、上下方向に長い長穴５３を介してトロヨケ３５の底板外面４１にビス５５によって固定されている。本実施の形態では、底板外面４１に長穴５３が形成され、この長穴５３を嵌挿したビス５５が可撓ステー５１の一端に螺着されるが、この逆の構成、すなわち、可撓ステー５１の一端に長穴が形成され、底板外面４１にビスが螺着されて、このビスが長穴を嵌挿してナット部材等が螺着される構成であってもよい。
【００２５】
つまり、一体となったストライク４７及びトロヨケ３５は、各可撓ステー５１，５１に対して長穴５３の長手方向、すなわち、凹部２９の上下方向に移動可能となっている。
【００２６】
一体となったストライク４７及びトロヨケ３５は、可撓ステー５１，５１によって固定されることで、ストライク４７と対面部２７との間及び底板外面４１と凹部２９の底面２９ａとの間に隙間５７と、上記間隙４３が形成される。
【００２７】
図１及び図２に示すように、可撓ステー５１の一端と他端との間には湾曲部５９が形成され、この湾曲部５９により可撓ステー５１の可撓を容易にしている。なお、本実施の形態の可撓ステー５１は、図１，２に示すように、湾曲部５９の他端側に平面部５９ａが形成され、凹部２９内の上下端面に当接して固定される。また、可撓ステー５１は、板金により製作することができる。その他、硬質合成樹脂材であってもよい。いずれの場合においても、可撓性を有し、さらには変形範囲が弾性限度内となる材質であることがより好ましい。
【００２８】
本実施の形態において、可撓ステー５１の他端は、扉枠２５の対面部２７に固定される。この可撓ステー５１の他端には、ストライク４７と対面部２７との隙間５７を覆う目隠し板６１が対面部２７に対して垂直に起立されている。
この目隠し板６１は、可撓ステー５１の端部を板金によって折曲形成されたものとすることができる。また、このい可撓ステー５１の端部に、弾性を有する材料、例えばゴム片や樹脂片等を付設して目隠し板６１を構成してもよい。この目隠し板６１は、扉２１の圧接によって、変形されるようになっている。
【００２９】
上記の構成において、可撓ステー５１，５１を介して凹部２９に保持されたストライク４７及びトロヨケ３５は、扉枠２５から突出した状態となる。この突出したストライク４７及びトロヨケ３５は、扉２１が閉鎖された際、図３に示すように、この扉２１に設けられためし合わせ縁６２によって覆われ、目視されなくなる。
【００３０】
次に、このように構成された扉錠用受金具６３の作用を説明する。
地震等の外力により扉枠２５が変形し、デッドボルト３１，ラッチボルト３３とストライク４７との相対位置が変位すると、可撓ステー５１，５１が変形して、ストライク４７と一体となったトロヨケ３５が、凹部２９内において扉枠２５の上下方向、凹部２９の深さ方向、或いはその両方の方向に同時に移動される。図４には、ストライク４７及びトロヨケ３５が、例えば扉枠２５の奥行き方向ａ、且つ扉枠２５の下方向ｂへ移動された場合を示す。
【００３１】
従って、錠杆や扉２１と、ストライク４７との間に生じる相対的な変位によって、錠杆や扉２１が、扉錠用受金具６３に圧接することがない。これにより、錠杆の後退作動が常に容易に可能となり、扉２１を確実に開放させることが可能となる。
また、トロヨケ３５を上下方向へ可動させるための間隙がストライク４７によって覆われ、従来構造のように切欠となって露出せず、扉錠用受金具６３を扉開口から見たときの見栄えの低下がない。
【００３２】
そして、可撓ステー５１に湾曲部５９が形成されるので、トロヨケ３５を変位させる方向の外力が作用した際、この変位が湾曲部５９の変形によって容易に吸収される。すなわち、湾曲部５９が設けられることで、弾性範囲内で可撓ステー５１を変形させることが容易に可能になる。
【００３３】
また、ビス５５が、トロヨケ３５の底板外面４１に形成された長穴５３の長手方向、すなわち、上下方向に可動可能になり、可撓ステー５１とトロヨケ３５との間の上下方向の変位が、このビス固定部によっても吸収可能になる。これに加え、ビス５５の締着力を調整することで、このビス固定部によって吸収する外力の大きさも可変設定可能になる。
【００３４】
さらに、ストライク４７と対面部２７との隙間が、可撓ステー５１，５１の他端に起立した目隠し板６１によって覆われ、別途の部材や構造によらず、見栄えが向上する。
【００３５】
【発明の効果】
以上詳細に説明したように、本発明に係る扉錠用受金具によれば、上下方向に間隙を有してトロヨケが凹部に嵌入され、トロヨケに固着されたストライクと対面部との間、及び底板外面と凹部の底面との間に間隙が形成されるように、トロヨケが上下一対の可撓ステーを介して凹部内に保持されるので、地震時に扉枠が変形し、錠杆とストライクとの相対位置が変位しても、可撓ステーが変形して、ストライクと一体となったトロヨケが、凹部内において扉枠の上下方向、凹部の深さ方向、或いはその両方の方向に同時に移動され、錠杆や扉が扉錠用受金具に圧接することがない。この結果、錠杆を後退作動させて、扉を確実に開放することができる。
【００３６】
また、可撓ステーに湾曲部を形成する構成とすることで、トロヨケを変位させる方向の外力が作用した際、この変位が湾曲部によって容易に吸収され、すなわち、この湾曲部によって、その弾性範囲内で可撓ステーを変形させることが可能となる。
【００３７】
さらに、可撓ステーの一端とトロヨケの底板外面とを上下方向に長い長穴を介してビス固定される構成とすることで、長穴の長手方向、すなわち、上下方向に互いに可動可能になり、可撓ステーとトロヨケとの間の上下方向の変位が、このビス固定部分によっても吸収可能になる。
【００３８】
また、トロヨケを上下方向へ可動させるための凹部の開口がストライクによって覆われ、従来構造のように切欠となって露出しないので、見栄えを向上させることができるとともに、ストライクと対面部との隙間が、可撓ステーの他端に起立した目隠し板によって覆われるので、別途の部材や構造によらず、見栄えを向上させる。
【図面の簡単な説明】
【図１】本発明に係る扉錠用受金具の分解斜視図である。
【図２】図１に示した扉錠用受金具の縦断面図である。
【図３】図２のＡ−Ａ線矢視図である。
【図４】可撓ステーが変形した状態の扉錠用受金具の縦断面図である。
【図５】従来の扉錠用受金具の分解斜視図である。
【図６】（ａ）従来の扉錠用受金具に対する錠杆の係合前を示した説明図である。
（ｂ）同錠杆の係合後を示した説明図である。
【符号の説明】
２１…扉
２１ａ…扉端面
２３…扉錠
２５…扉枠
２７…対面部
２９…凹部
２９ａ…凹部の底面
３１…デッドボルト（錠杆）
３３…ラッチボルト（錠杆）
３５…トロヨケ
３７…錠杆進入空間
３９…間隙
４１…底板外面
４３…間隙
４７…ストライク
４９…錠杆進入穴
５１…可撓ステー
５３…長穴
５７…隙間
５９…湾曲部
６１…目隠し板
６３…扉錠用受金具
【図１】
0004080146.tif 000002
【図２】
0004080146.tif 000003
【図３】
0004080146.tif 000004
【図４】
0004080146.tif 000005
【図５】
0004080146.tif 000006
【図６】
0004080146.tif 000007